(57)【要約】      （修正有）【課題】パワーコンディショナの筐体を家屋の外壁に直接取り付ける電力変換装置として、筺体内部への雨水の侵入を防止し、且つ、その筺体内部に備えた各種電気部品の発熱部分の放熱作用を効果的に発揮するための空気の流れの形成と共に、電気工事士の資格の無い者による空気取り入れ口に設けるフィルタの清掃、交換が可能な電力変換装置を提供する。【解決手段】本体３の左右壁の中間部または下部に左右の空気流入口１２、下壁に空気排出口１３を備え、空気流入口へ連通する空気導入口１５を下側に形成し、空気導入口には防麈フィルタ１５Ｆを有する空気取り入れカバー１４が、左右の空気流入口をそれぞれ覆う状態で本体の左右壁の外面に着脱自在に取り付けられ、放熱用ファン１０、１１の運転によって、左右の空気流入口から流入した外気が電気部品の放熱を促進しつつ空気排出口から筐体外へ排気される空気の流れを形成する。【選択図】図６
2017103837.tif 000002
【特許請求の範囲】
【請求項１】
上下壁、左右壁及び背壁で囲まれ前面開口の本体と、前記本体の前記前面開口の一側に
開閉自在に取り付けられ前記前面開口の周縁をパッキンを介して閉塞する扉とを備え、前
記本体の背壁が架台や建物の壁面に沿って縦方向配置となる筐体と、前記筐体の内に収容
され再生可能エネルギーから得られる直流電力を系統へ重畳可能な交流電力に変換する電
力変換回路を構成する電気部品と、前記電気部品の放熱用ファンと、を備えた電力変換装
置において、
前記本体は前記左右壁の中間部付近または下部側に形成した左右の空気流入口と前記下
壁に形成した空気排出口を備え、
前記空気流入口へ連通する空気導入口を下側に向けて形成し、前記空気導入口にはフィ
ルタを有し、前記左右の空気流入口をそれぞれ覆う状態で前記左右壁の外面に外側から着
脱自在に取り付けられる空気取り入れカバーを備え、
前記放熱用ファンの運転によって、前記左右の空気流入口から流入した外気が前記電気
部品の放熱を促進しつつ前記空気排出口から前記筐体の外へ排気される空気の流れを形成
することを特徴とする電力変換装置。
【請求項２】
前記電気部品のうち発熱性の半導体素子が基板部に熱伝導状態に取り付けられるヒート
シンクと、前記ヒートシンクの放熱フィンが収容され上端開口を空気入り口とし下端開口
を空気出口とし前記放熱フィンを上下方向に流れる空気流を形成するよう前記上端開口に
前記放熱用ファンが取り付けられた空気ダクトを前記本体内に設けたことを特徴とする請
求項１に記載の電力変換装置。
【請求項３】
前記空気取り入れカバーは、前記空気流入口と前記空気導入口の中間部となる位置に、
前記本体の左壁及び右壁から前記空気導入口方向へ傾斜しつつ前記空気取り入れカバーの
側壁近傍まで延出する防雨障壁を設けたことを特徴とする請求項１または２に記載の電力
変換装置。
【発明の詳細な説明】
【技術分野】
【０００１】
本発明は、太陽光などの再生可能エネルギーから得られた直流電力を交流電力に変換す
る電力変換装置に関するものである。
【背景技術】
【０００２】
太陽光発電システム用の電力変換装置（パワーコンディショナと称する）は、その筐体
内に、太陽電池が発電する直流電力を交流電力に変換する直交変換回路と、この直交変換
回路を構成するパワーモジュール（発熱性の半導体スイッチング素子）を取り付けたヒー
トシンクなどを備えたものが知られている（特許文献１）。
【０００３】
パワーコンディショナを建物の外壁に取り付ける屋外設置式の場合又は屋外の架台に設
置する場合は、風雨に晒されるため、パワーコンディショナ内に雨水が浸入しないように
することが重要であるが、上記のような発熱部品の放熱を良好にすることも重要であり、
ファンの運転によって筐体内に強制的に外気を取り入れて発熱部品の放熱を促進している
（特許文献１）。
特許文献１の場合は、筐体の底壁に吸気部を設け、左右側壁上部に排気用ファンを備え
る排気部を設け、排気用ファンの運転によって筐体内に強制的に外気を取り入れて発熱部
品の放熱を促進している。この場合、吸気部には筐体内に吸い込みダクトを設け、このダ
クトの上部の出口部に設けたフィルタを通って筐体内に流入する仕組みである。
【先行技術文献】
【特許文献】
【０００４】
【特許文献１】特開２０１３−１２５８６４号公報
【発明の概要】
【発明が解決しようとする課題】
【０００５】
このように特許文献１の場合は、吸気部には筐体内に吸い込みダクトを設け、外気はこ
のダクトの上部の出口部に設けたフィルタを通って筐体内に流入する仕組みであるため、
フィルタの清掃や交換の際には、前面の扉を開いてその作業を行う必要があり、内部の電
気部品に接触する危険が伴う。このため、電気工事士の資格のある者でなければ、その作
業を行うことができないこととなっている。
電気工事士が行うこととなれば、それなりの費用が掛かり、メンテナンス費用が嵩むこ
ととなる。
【０００６】
また、フィルタを筐体本体の背壁の上部に多数の小孔を形成するものや、筐体本体の底
壁に多数の小孔を形成するものもあるが、パワーコンディショナを建物の壁に取り付けた
後は、フィルタの清掃や交換の際には、パワーコンディショナを取り外す必要があり、電
気工事士の資格のある者が作業することとなり、それなりの費用が掛かり、メンテナンス
費用が嵩むこととなる。
すなわち、メンテナンスに際して特別な資格保有者を手配する必要があり、必要な時に
容易にかつタイムリーにメンテナンスが行えず、フィルタ詰りによる電力変換装置の能力
低下を招くことがあった。
【０００７】
本発明は、このような点に鑑み、メンテナンスに際して特別な資格を要することなく必
要に応じて容易にフィルタの清掃、交換等のメンテナンスが行え、またメンテナンスの低
コスト化も可能となる構造の電力変換装置を提供するものである。
このため、パワーコンディショナの筺体内部への雨水の侵入を防止し、且つ、その筺体
内部に備えた各種電気部品の発熱部分の放熱作用を効果的に発揮するための積極的な空気
の流れを形成し、且つ、フィルタの清掃や交換を電気工事士の資格の無い者でも作業する
ことができる構造の屋外設置式電力変換装置を提供するものである。
【課題を解決するための手段】
【０００８】
本発明は、上下壁、左右壁及び背壁で囲まれ前面開口の本体と、前記本体の前記前面開
口の一側に開閉自在に取り付けられ前記前面開口周縁をパッキンを介して閉塞する扉とを
備え、前記本体の背壁が架台や建物の壁面に沿って縦方向配置となる筐体と、前記筐体内
に収容され再生可能エネルギーから得られる直流電力を系統へ重畳可能な交流電力に変換
する電力変換回路を構成する電気部品と、前記電気部品の放熱用ファンと、を備えた電力
変換装置において、
前記本体は前記左右壁の中間部付近または下部側に形成した左右の空気流入口と前記下
壁に形成した空気排出口を備え、
前記空気流入口へ連通する空気導入口を下側に向けて形成し、前記空気導入口にはフィ
ルタを有し、前記左右の空気流入口をそれぞれ覆う状態で前記左右壁の外面に外側から着
脱自在に取り付けられる空気取り入れカバーを備え、
前記放熱用ファンの運転によって、前記左右の空気流入口から流入した外気が前記電気
部品の放熱を促進しつつ前記空気排出口から前記筐体外へ排気される空気の流れを形成す
ることを特徴とする。
【０００９】
また、本発明は、前記電気部品のうち発熱性の半導体素子が基板部に熱伝導状態に取り
付けられるヒートシンクと、前記ヒートシンクの放熱フィンが収容され上端開口を空気入
り口とし下端開口を空気出口とし前記放熱フィンを上下方向に流れる空気流を形成するよ
う前記上端開口に前記放熱用ファンが取り付けられた空気ダクトを前記本体内に設けたこ
とを特徴とする。
【００１０】
前記空気取り入れカバーは、前記空気流入口と前記空気導入口の中間部となる位置に、
前記本体の左壁及び右壁から前記空気導入口方向へ傾斜しつつ前記空気取り入れカバーの
側壁近傍まで延出する防雨障壁を設けたことを特徴とする。
【発明の効果】
【００１１】
本発明によれば、再生可能エネルギーから得られる直流電力を商用電力系統と同期した
所定の交流電力に変換して前記商用電力系統へ重畳可能に成した電力変換装置において、
筺体内部への雨水の侵入を防止し、且つ、その筺体内部に備えた電気部品の発熱部分の放
熱作用を効果的に発揮するための積極的な空気の流れを形成し、且つ、フィルタの清掃や
交換を電気工事士の資格の無い者でも作業することができる。このため、安定動作を確保
できると共に、メンテナンスの低コスト化が達成できる電力変換装置を提供でき。
【００１２】
また本発明によれば、本体内に設けた空気ダクトの上端開口に放熱用ファンが取り付け
られたことによって、放熱用ファンの温度上昇を抑制しつつ、ヒートシンクの基板部に取
り付けた発熱性の電気部品の放熱が効果的に行え、安定動作を確保できると共に、メンテ
ナンスの低コスト化が達成できる電力変換装置を提供でき。
【００１３】
また、本発明の空気取り入れカバーは、空気流入口と空気導入口の中間部に設けた防雨
障壁によって、空気導入口から吹き込む雨水は防雨障壁が障壁となって、空気流入口から
筐体内へ侵入し難くなるが、外気は防雨障壁の先端と空気取り入れカバーの側壁との隙間
から流入するため、筐体内への外気の取り入れが良好となり、安定動作を確保できると共
に、メンテナンスの低コスト化が達成できる電力変換装置を提供でき。
【図面の簡単な説明】
【００１４】
【図１】本発明の実施形態に係る電力変換装置の扉を開けたときの状態を示す正面斜視図である。
【図２】図１に示した電力変換装置の本体内に収容した電力変換回路ＩＮＶを覆う２枚のカバー板を取り外した状態を示す分解斜視図である。
【図３】図２の状態からシャーシを取り外した状態を断面で示す正面斜視図である。
【図４】図１に示した電力変換装置の本体内に配置した第１ダクトと第２ダクトの内部を示す縦断面図である。
【図５】電力変換装置の本体内に配置した第１ダクトと第２ダクトの内部を示す横断正面図である。
【図６】電力変換装置の本体内に配置した第１ダクトと第２ダクトの内部を示す斜視図である。
【図７】電力変換装置の本体の左右側壁に取り付けた空気取り入れカバーの内部を示す縦断面の斜視図である。
【図８】電力変換装置の電力変換回路ＩＮＶの中のスイッチング素子が一つのパッケージに収容される形態でモジュール化されたＩＰＭをヒートシンクの基板部に取り付けた状態の説明図である。
【図９】電力変換装置の電力変換回路ＩＮＶの構成図である。
【図１０】電力変換装置を建物の外壁に取り付けた状態の説明図である。
【発明を実施するための形態】
【００１５】
本発明は、上下壁、左右壁及び背壁で囲まれ前面開口の本体と、前記本体の前記前面開
口の一側に開閉自在に取り付けられ前記前面開口周縁をパッキンを介して閉塞する扉とを
備え、前記本体の背壁が架台や建物の壁面に沿って縦方向配置となる筐体と、前記筐体内
に収容され再生可能エネルギーから得られる直流電力を系統へ重畳可能な交流電力に変換
する電力変換回路を構成する電気部品と、前記電気部品の放熱用ファンと、を備えた電力
変換装置において、
前記本体は前記左右壁の中間部付近または下部側に形成した左右の空気流入口と前記下
壁に形成した空気排出口を備え、
前記空気流入口へ連通する空気導入口を下側に向けて形成し、前記空気導入口にはフィ
ルタを有し、前記左右の空気流入口をそれぞれ覆う状態で前記左右壁の外面に外側から着
脱自在に取り付けられる空気取り入れカバーを備え、
前記放熱用ファンの運転によって、前記左右の空気流入口から流入した外気が前記電気
部品の放熱を促進しつつ前記空気排出口から前記筐体外へ排気される空気の流れを形成す
る構成である。
以下にその実施例を図に基づき説明する。
【００１６】
本発明の一実施形態に係る電力変換装置１は、再生可能エネルギーから得られる直流電
力を商用電力系統へ重畳可能な交流に変換する電力変換回路ＩＮＶを構成する電気部品が
筐体２内に収容されている。筐体２は、本体３と扉４によって構成し、本体３は、上壁３
Ａ、下壁３Ｂ、左壁３Ｃ、右壁３Ｄ、及び背壁３Ｅで囲まれ前面開口３Ｆを有する矩形状
の箱を構成し、扉４は、本体３の一側にヒンジ５によって開閉自在に取り付けられロック
装置Ｒによって本体３に施錠される構成である。
【００１７】
図１に示すように、本体３の前面開口３Ｆを扉４によって水密状態に閉塞するために、
前面開口３Ｆの周縁を巡るフランジ６と扉４の裏面が環状パッキン（一体または分割構成
したパッキン）３０を介して密着する。実施例では、扉４を閉じたとき、扉４の裏面周縁
部に取り付けた環状パッキン３０が、フランジ６に密着することによって水密状態を達成
しているが、環状パッキン３０をフランジ６に取り付ける構成でもよい。後述のように、
本体３の左右側壁３Ｃ、３Ｄに設けた空気流入口１２と、本体３の下壁３Ｂに設けた空気
排出口１３、及び配線導入管２７、２８等の必要な開口や孔を除き、本体３の前面開口３
Ｆを扉４によって閉塞した状態で、筐体２内は水密状態である。
【００１８】
電力変換装置１は、図１０に示すように、本体３の背壁３Ｅが建物Ｋの外壁に沿って縦
方向配置となるように、本体３の後部に設けた取り付け部３Ｔでもって建物Ｋの外壁に取
り付けられる。電力変換装置１は野立ての架台に取り付けても良く、また専用の建物内の
内壁に取り付けてもよいものである。
【００１９】
本体３内には電力変換装置１の電力変換回路ＩＮＶが収容されており、図１に示すよう
に扉４を開いた状態で、電力変換回路ＩＮＶを覆う２枚のカバー板２０Ａ、２０Ｂで覆わ
れている。この状態で、カバー板２０Ａの窓２０Ａ１に後述の表示器２１が正面から視認
可能に臨む。このカバー板２０Ａ、２０Ｂを取り外せば、図２に示すように電力変換回路
ＩＮＶが露出し、シャーシ２５の正面に配置した、電力変換回路ＩＮＶの中の制御回路６
４の基板６４Ｐ、電力変換回路ＩＮＶの動作状態等を表示する表示器２１とその関連回路
、太陽電池ＰＶと電力変換回路ＩＮＶとの配線用端子台を兼用するブレーカ２２、電力変
換回路ＩＮＶと商用電力系統（ＧＲＩＤ）６３との配線用端子台を兼用するブレーカ２３
、及び電力変換回路ＩＮＶのその他の電気部品が正面から視認できる状態となる。
【００２０】
ブレーカ２２及び２３は、それぞれ内部に過電流にて電路を遮断する機構を備えており
、電路が遮断したとき下方へ回動作動する操作部２２Ｓ、２３Ｓがカバー板２０Ｂの窓を
貫通して正面に露出している。遮断した電路を接続状態へ復帰させる場合は、下方へ作動
した操作部２２Ｓ、２３Ｓを手動にて上方へ回動作動させればよい。
【００２１】
図９は、電力変換装置１の電力変換回路ＩＮＶの主要構成を示す。太陽電池ＰＶで発電
した直流電力は、直流用ノイズフィルタ５０を経て、複数の小型コンデンサからなるノイ
ズ吸収用のコンデンサ５１を介して、１個のリアクトルＬ１で構成する直流用リアクトル
５２、直流を交流に変換するＤＣ／ＡＣ変換用スイッチング回路５３及び高周波トランス
５５を含む昇圧部５４で所定電圧に昇圧され、ダイオードＤのブリッジ回路を含む整流回
路５６と３相交流変換用スイッチング回路５７を含む３相交流変換回路６０で３相交流に
変換され、３個のリアクトルＬ２〜Ｌ４で構成する交流用リアクトル５８と３個のコンデ
ンサ５９Ａで構成するコンデンサ回路５９を含むローパスフィルタ６１で高周波成分をカ
ットし、所定の商用電力系統（ＧＲＩＤ）６３の周波数に同期する周波数の正弦波の重畳
可能な３相交流として、リレー接点６２を介して商用電力系統（ＧＲＩＤ）６３へ出力さ
れる構成である。ＤＣ／ＡＣ変換用スイッチング回路５３、３相交流変換用スイッチング
回路５７、及びリレー接点６２は、制御回路６４によって動作が制御される。
【００２２】
ＤＣ／ＡＣ変換用スイッチング回路５３は、通常ＩＧＢＴと称するスイッチング素子５
３Ａ〜５３Ｄを含み、一つのパッケージに収容される形態でモジュール化されて、ＩＰＭ
（インテリジェントパワーモジュール）と称する。また、３相交流変換用スイッチング回
路５７も、通常ＩＧＢＴと称するスイッチング素子５７Ａ〜５７Ｆを含み、一つのパッケ
ージに収容される形態でモジュール化されて、ＩＰＭ（インテリジェントパワーモジュー
ル）と称する。前者を第１ＩＰＭとし、後者を第２ＩＰＭと称することとする。
尚、それぞれのスイッチング素子はモジュール化せずディスクリート回路で構成しても
良く、この場合夫々のスイッチング素子が発熱部材に相当する。
【００２３】
このように電力変換回路ＩＮＶを構成する電気部品のうち、第１ＩＰＭ、第２ＩＰＭ、
直流用リアクトル５２、高周波トランス５５、整流回路５６のダイオードＤ、及び交流用
リアクトル５８は、発熱が大きな部品である。この中で、特に前記スイッチング素子は発
熱が大きく、それを収容した第１ＩＰＭと第２ＩＰＭの放熱促進のために、アルミニウム
等の熱伝導良好なヒートシンク７に取り付ける。図８に示すように、ヒートシンク７は、
基板部７Ａと基板部７Ａから延出した複数の放熱フィン７Ｂを有し、第１ＩＰＭと第２Ｉ
ＰＭは、その裏側のアルミニウム等の金属製放熱面が基板部７Ａの前面に熱伝導状態に、
ネジ２４にて取り付ける。
【００２４】
整流回路５６のダイオードＤも発熱が大きいため、ＩＰＭと同様に、一つのパッケージ
に収容される形態でモジュール化され放熱が効果的となる構成であり、ヒートシンク７の
基板部７Ａの前面に熱伝導状態に、ネジにて取り付ける。
なお、整流回路５６のダイオードＤは、第１ＩＰＭまたは第２ＩＰＭに含めてパッケー
ジするようにすれば、ヒートシンク７の基板部７Ａへの取り付け作業も容易となる。
【００２５】
図３乃至図６に示すように、筐体２の本体３内には、電力変換回路ＩＮＶの放熱装置が
配置される。すなわち、上端開口を空気入り口とし下端開口を空気出口とする上下方向の
第１空気ダクト８と、上端開口を空気入り口とし下端開口を空気出口とする上下方向の第
２空気ダクト９が左右に併設している。第１空気ダクト８の上端開口または下端開口には
放熱用第１ファン１０が配置され、第２空気ダクト９の上端開口または下端開口には放熱
用第２ファン１１が配置される。これらによって、電力変換回路ＩＮＶの放熱装置が構成
される。
【００２６】
図４に示すように、本体３内にはその背壁３Ｅから浮いた状態で背壁３Ｅに並行に載置
板２６が取り付けられている。載置板２６は、その上部及び下部の左右部分をネジによる
取り付け部３２によってスペーサを介して本体３の背壁３Ｅに着脱自在に取り付けている
。
電力変換回路ＩＮＶ及びその放熱装置は、載置板２６の前面に配置される。すなわち、図
５等に示すように、ヒートシンク７と第１ファン１０を取り付ける第１空気ダクト８、及
び第２ファン１１を取り付ける第２空気ダクト９は、この載置板２６の前面に配置される
。第１空気ダクト８及び第２空気ダクト９の側方の載置板２６の前面には、交流用リアク
トル５８の３個のリアクトルＬ２〜Ｌ４が上下方向に配置される。また、第１空気ダクト
８、第２空気ダクト９及び交流用リアクトル５８を覆うようにシャーシ２５が載置板２６
の前面に取り付けられている。
【００２７】
このため、載置板２６の上に電力変換回路ＩＮＶ及びその放熱装置を配置した状態で、
取り付け部３２によって載置板２６を本体３の背壁３Ｅに取り付けることができ、また、
取り付け部３２によって載置板２６を取り外せば、本体３から電力変換回路ＩＮＶ及びそ
の放熱装置を一度に取り外すことができ、組み立て及びメンテナンスがし易くなる。
【００２８】
上記のように、第１空気ダクト８は、下端が本体３の下壁３Ｂに当接する状態で載置板
２６の前面に取り付けられており、ヒートシンク７の基板部７Ａが第１空気ダクト８の前
壁８Ａの一部（実施例では殆ど）を構成する関係で、ヒートシンク７の放熱フィン７Ｂが
第１空気ダクト８内に配置される。これによって、整流回路５６のダイオードＤ、第１Ｉ
ＰＭ、及び第２ＩＰＭは、ヒートシンク７の基板部７Ａの前面に熱伝導状態で取り付けら
れた状態である。
【００２９】
第２空気ダクト９は、下端が本体３の下壁３Ｂに当接する状態で載置板２６の前面に取
り付けられており、電力変換回路ＩＮＶを構成する電気部品のうち、発熱性の半導体素子
以外の発熱性の電気部品を収容する。この発熱性の半導体素子以外の発熱性の電気部品と
して、直流用リアクトル５２のＬ１、及び高周波トランス５５があり、図６等に示すよう
に第２空気ダクト９内に配置される。
【００３０】
太陽電池ＰＶからブレーカ２２への２本の接続線は、それぞれ本体３の下壁３Ｂを貫通
して取り付けた絶縁材で形成する２本の直流用配線導入管２７内を通って配線される。ま
た、ブレーカ２３から商用電力系統（ＧＲＩＤ）６３への３本の接続線は、それぞれ本体
３の下壁３Ｂを貫通して取り付けた絶縁材で形成する３本の交流用配線導入管２８内を通
って配線される。
【００３１】
図６及び図７に示すように、本体３の左壁３Ｃ及び右壁３Ｄの中間部または下部にそれ
ぞれ空気流入口１２が形成され、本体３の下壁３Ｂには、第１空気ダクト８の下端開口及
び第２空気ダクト９の下端開口に対応する位置に空気排出口１３が形成される。空気排出
口１３は、本体３の下壁３Ｂに外側からネジにて着脱自在に取り付けた防虫防塵用網１３
Ｆで覆われている。
【００３２】
左右の空気流入口１２をそれぞれ覆う状態で空気取り入れカバー１４が左壁３Ｃ及び右
壁３Ｄの外面にネジ１７にて、筐体２の外側から着脱自在に取り付けられる。空気取り入
れカバー１４は、空気流入口１２へ連通する空気導入口１５を下側に向けて形成しており
、空気導入口１５には虫や塵埃等の侵入防止用の防塵フィルタ１５Ｆを設けている。防塵
フィルタ１５Ｆは、空気導入口１５に多孔質のフィルタを取り付ける構成でもよいが、空
気取り入れカバー１４の下壁に多数の小孔を直接穿孔する構成でもよい。
【００３３】
図６及び図７に示すように、空気流入口１２と空気導入口１５の中間部となる位置には
、空気導入口１５から侵入する雨水が空気流入口１２へ到達し難いように、防雨障壁１６
を設けている。防雨障壁１６は、略空気取り入れカバー１４の前後壁にわたる長さでもっ
て、それぞれ本体３の左壁３Ｃ、右壁３Ｄから空気導入口１５方向へ傾斜しつつ空気取り
入れカバー１４の側壁近傍まで延出する。このため、空気導入口１５から吹き込む雨水は
防雨障壁１６が障壁となって、空気流入口１２から筐体２内へ侵入し難くなるが、外気は
防雨障壁１６の先端と空気取り入れカバー１４の側壁との隙間から流入するため、筐体２
内への外気の取り入れは良好に行える。
【００３４】
防雨障壁１６は、略空気取り入れカバー１４の前後壁にわたる長さでもって、空気取り
入れカバー１４の側壁から空気導入口１５方向へ傾斜しつつ本体３の左壁３Ｃ、右壁３Ｄ
近傍まで延出する形態とすることもできる。
【００３５】
上記のように、空気流入口１２と空気導入口１５の中間部に設けた防雨障壁１６によっ
て、空気導入口１５から吹き込む雨水は防雨障壁１６が障壁となって、空気流入口１２か
ら筐体２内へ侵入し難くなるが、外気は防雨障壁１６の先端と空気取り入れカバー１４の
側壁との隙間から流入するため、筐体２内への外気の取り入れが良好となり、発熱性の電
気部品の放熱が効果的に行え、電力変換回路ＩＮＶの安定動作を確保できる。
【００３６】
強風の際の風の巻き込みによって、空気導入口１５から侵入した雨水が空気流入口１２
を通り筐体２内へ侵入した場合でも、その雨水が筐体２内の電気部品へ掛からないように
するために、図６等に示すように、本体３の左壁３Ｃ及び右壁３Ｄの内側で、空気流入口
１２に対向する位置に、左壁３Ｃ及び右壁３Ｄと並行配置した内側防雨壁３１を設けてい
る。
【００３７】
内側防雨壁３１は、本体３の左壁３Ｃ及び右壁３Ｄに並行して前後方向に延び、上下端
３１Ａ、３１Ｂと本体３の上壁３Ａ及び下壁３Ｂとの間に空気通路を形成するように間隔
を存しており、その状態で後端の基端部を載置板２６にネジにて取り付けている。内側防
雨壁３１は、シャーシ２５の左右の支持脚を形成するように、先端部をシャーシ２５にネ
ジ止めしている。
【００３８】
この構成によって、空気流入口１２を通り筐体２内へ侵入する雨水は、内側防雨壁３１
によってその内側に配置された電気部品へ掛かることが防止され、電力変換回路ＩＮＶの
安定動作を確保できる。また、第１ファン１０及び第２ファン１１の運転によって、左右
の空気流入口１２から流入した外気は、左右の内側防雨壁３１と本体３の左壁３Ｃ及び右
壁３Ｄとの間の空気通路から、内側防雨壁３１の上下端３１Ａ、３１Ｂと本体３の上壁３
Ａ及び下壁３Ｂとの間の空気通路を通り筐体２内へ流入し、筐体２内の全体空気は、第１
空気ダクト８及び第２空気ダクト９へ向かう流れとなり、第１空気ダクト８及び第２空気
ダクト９の上端開口から流入し下方へ流れ下端開口から流出し、空気排出口１３から筐体
２外へ排気される。
【００３９】
このため、第１空気ダクト８内及び第２空気ダクト９内の発熱部は積極的に冷却され、
第１空気ダクト８及び第２空気ダクト９の外側周辺の空気も強制流動するため、第１空気
ダクト８及び第２空気ダクト９の外側周辺に配置した電気部品も冷却され、電力変換回路
ＩＮＶは正常な動作を維持できることとなる。また、本体３内に設けた各空気ダクト８、
９の上端開口にそれぞれ放熱用ファン１０、１１が取り付けられることによって、放熱用
ファンの温度上昇を抑制しつつ、各空気ダクト８、９内の発熱性の電気部品の放熱が効果
的に行え、電力変換回路ＩＮＶの安定動作を確保できると共に、メンテナンスの低コスト
化が達成できる電力変換装置となる。
【００４０】
上記のように、内側防雨壁３１は、シャーシ２５の左右の支持脚と防雨壁の機能を有す
ると共に、空気流入口１２から流入する外気が、内側防雨壁３１と本体３の左壁３Ｃ及び
右壁３Ｄとの間の空気通路を内側防雨壁３１に沿って流れる外気流入通路形成の機能を備
えるものとなる。
【００４１】
再生可能エネルギーとして太陽光を取り上げたが、この他に風力、波動、その他の自然
エネルギーが本発明に適用できる。
【符号の説明】
【００４２】
１・・・・・電力変換装置
２・・・・・筺体
３・・・・・本体
４・・・・・扉
５・・・・・ヒンジ
６・・・・・環状フランジ
７・・・・・ヒートシンク
７Ａ・・・・ヒートシンクの基板部
７Ｂ・・・・ヒートシンクの放熱フィン
８・・・・・第１空気ダクト
９・・・・・第２空気ダクト
１０・・・・第１ファン
１１・・・・第２ファン
１２・・・・空気流入口
１３・・・・空気排出口
１４・・・・空気取り入れカバー
１５・・・・空気導入口
１５Ｆ・・・防塵フィルタ
１６・・・・防雨障壁
１７・・・・ネジ
２０Ａ、２０Ｂ・・・・カバー板
２１・・・・表示器
２２・・・・配線用端子台兼用のブレーカ
２３・・・・配線用端子台兼用のブレーカ
２５・・・・シャーシ
２６・・・・載置板
２７・・・・直流用配線導入管
２８・・・・交流用配線導入管
３０・・・・環状パッキン
５０・・・・直流ノイズフィルタ
５１・・・・コンデンサ
５２・・・・直流用リアクトル
５３・・・・ＤＣ／ＡＣ変換用スイッチング回路
５４・・・・昇圧部
５５・・・・高周波トランス
５６・・・・整流回路
５７・・・・３相交流変換用スイッチング回路
５８・・・・交流用リアクトル
５９・・・・コンデンサ回路
６０・・・・３相交流変換回路
６１・・・・ローパスフィルタ
６２・・・・リレー接点
６３・・・・商用電力系統
６４・・・・制御回路
Ｋ・・・・・建物
ＰＶ・・・・・太陽電池
ＩＮＶ・・・・電力変換回路
【図１】
2017103837.tif 000003
【図２】
2017103837.tif 000004
【図３】
2017103837.tif 000005
【図４】
2017103837.tif 000006
【図５】
2017103837.tif 000007
【図６】
2017103837.tif 000008
【図７】
2017103837.tif 000009
【図８】
2017103837.tif 000010
【図９】
2017103837.tif 000011
【図１０】
2017103837.tif 000012